(57)【要約】  押し転写及び引き転写を実現可能な塗膜転写具が提供される。この塗膜転写具は、収納具と、第１状態及び第１状態から被転写体に対し上下を反転した第２状態で、収納具内に収納可能な内部転写具とを備える。内部転写具は、基材テープに塗膜を設けた転写テープを繰り出す繰り出し部と、繰り出し部から繰り出された転写テープを被転写体に押圧して塗膜を被転写体に転写する板状転写ヘッドと、転写後の基材テープを巻き取る巻き取り部と、前記板状転写ヘッドよりも前記基材テープの搬送方向に沿って下流側に配置され、転写後の前記基材テープを前記被転写体に押圧する搬送ローラとを有する。内部転写具が収納具内に第１状態で収納されている場合には、板状転写ヘッドを前方へ押し出すことで、塗膜が被転写体に転写され、第２状態で収納されている場合には、板状転写ヘッドが後方へ引かれることで、塗膜が被転写体に転写されるように構成されている。【選択図】図７
2014050217.tif 000002
【特許請求の範囲】
【請求項１】
基材テープに塗膜を設けた転写テープの前記塗膜を被転写体に転写するための塗膜転写具であって、
収納具と、
第１状態及び前記第１状態から前記被転写体に対し上下を反転した第２状態で、前記収納具内に収納可能な内部転写具と
を備え、
前記内部転写具は、
前記転写テープを繰り出す繰り出し部と、
前記繰り出し部から繰り出された前記転写テープを前記被転写体に押圧して前記塗膜を前記被転写体に転写する板状転写ヘッドと、
転写後の前記基材テープを巻き取る巻き取り部と、
前記板状転写ヘッドよりも前記基材テープの搬送方向に沿って下流側に配置され、転写後の前記基材テープを前記被転写体に押圧する搬送ローラと
を有し、
前記内部転写具が前記収納具内に前記第１状態で収納されている場合には、前記板状転写ヘッドを前方へ押し出すことで、前記塗膜が前記被転写体に転写され、前記第２状態で収納されている場合には、前記板状転写ヘッドが後方へ引かれることで、前記塗膜が前記被転写体に転写されるように構成されている、
塗膜転写具。
【請求項２】
前記収納具は、塗膜転写時に前記被転写体に接する位置に設けられている凸部を有する、
請求項１に記載の塗膜転写具。
【請求項３】
前記凸部が、回転ローラである、
請求項２に記載の塗膜転写具。
【請求項４】
前記内部転写具は、
前記搬送ローラを回転可能に支持する、弾性変形可能な支持体
をさらに有する、
請求項１に記載の塗膜転写具。
【請求項５】
前記内部転写具は、
前記搬送ローラを回転可能に支持する、弾性変形可能な支持体
をさらに有する、
請求項２に記載の塗膜転写具。
【請求項６】
前記内部転写具は、
前記搬送ローラを回転可能に支持する、弾性変形可能な支持体
をさらに有する、
請求項３に記載の塗膜転写具。
【請求項７】
前記支持体は、塗膜転写時に変形させられて、前記搬送ローラを前記被転写体に対して押圧する押圧力を生じるように弾性変形する、
請求項４に記載の塗膜転写具。
【請求項８】
前記支持体は、塗膜転写時に変形させられて、前記搬送ローラを前記被転写体に対して押圧する押圧力を生じるように弾性変形する、
請求項５に記載の塗膜転写具。
【請求項９】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項１に記載の塗膜転写具。
【請求項１０】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項２に記載の塗膜転写具。
【請求項１１】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項５に記載の塗膜転写具。
【請求項１２】
前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える、
請求項６に記載の塗膜転写具。
【請求項１３】
前記内部転写具及び前記収納具の一方が突起部を有し、他方が前記突起部を回転可能に受け取る受け取り部を有する、
請求項１に記載の塗膜転写具。
【請求項１４】
前記内部転写具及び前記収納具の一方が突起部を有し、他方が前記突起部を回転可能に受け取る受け取り部を有する、
請求項１１に記載の塗膜転写具。
【請求項１５】
前記内部転写具及び前記収納具の一方が突起部を有し、他方が前記突起部を回転可能に受け取る受け取り部を有する、
請求項１２に記載の塗膜転写具。
【発明の詳細な説明】
【技術分野】
【０００１】
本発明は、基材テープに修正用塗膜、接着用粘着剤、装飾用塗膜等を設けた転写テープの塗膜を被転写体に転写するために用いる塗膜転写具に関する。
【背景技術】
【０００２】
従来、カセット内に転写テープが繰り出し可能に収納され、転写テープに設けられた塗膜を被転写体に転写する転写ヘッドが設けられており、転写済みの転写テープを巻き取り可能に構成された塗膜転写具が知られている。また、このような塗膜転写具の一つとして、転写ヘッドの前方方向へ塗膜転写具を押し出して、塗膜を転写する転写ヘッドを転写ローラで構成した塗膜転写具が提案されている。（特許文献１参照）これにより、塗膜転写具を手前に引いて塗膜を転写する場合と比較して、転写位置が転写ヘッドの影にならず、転写位置に対する転写塗膜の過不足防止効果を得ることが可能となっている。また、板状転写ヘッドと比較して、塗膜を転写する際に転写テープに必要以上の押圧力をかけることなく転写操作を行うことが可能となっている。【０００３】
なお、本明細書では、特許文献１のように塗膜転写具を前方（塗膜転写具を把持しているユーザーの身体から離れる方向）へ押し出して塗膜を転写することを「押し転写」、塗膜転写具を後方（塗膜転写具を把持しているユーザーの身体に近づく方向）に引いて塗膜を転写することを「引き転写」と呼ぶこととする。
【先行技術文献】
【特許文献】
【０００４】
【特許文献１】特開２００２−１２０００
【発明の概要】
【発明が解決しようとする課題】
【０００５】
従来、押し転写方式の塗膜転写具は細かい部分や短い箇所の塗膜転写には好適であったが、大きい面積や長い箇所に素早く塗膜転写する際には、引き転写方式の塗膜転写具が操作し易かった。【０００６】
本発明の目的は、一台で押し転写と引き転写のどちらをも実現可能な塗膜転写具を提供することにある。
【課題を解決するための手段】
【０００７】
Ａ１観点に係る塗膜転写具は、基材テープに塗膜を設けた転写テープの前記塗膜を被転写体に転写するための塗膜転写具であって、収納具と、第１状態及び前記第１状態から前記被転写体に対し上下を反転した第２状態で、前記収納具内に収納可能な内部転写具とを備える。前記内部転写具は、前記転写テープを繰り出す繰り出し部と、前記繰り出し部から繰り出された前記転写テープを前記被転写体に押圧して前記塗膜を前記被転写体に転写する板状転写ヘッドと、転写後の前記基材テープを巻き取る巻き取り部と、前記板状転写ヘッドよりも前記基材テープの搬送方向に沿って下流側に配置され、転写後の前記基材テープを前記被転写体に押圧する搬送ローラとを有する。前記内部転写具が前記収納具内に前記第１状態で収納されている場合には、前記板状転写ヘッドを前方へ押し出すことで、前記塗膜が前記被転写体に転写され、前記第２状態で収納されている場合には、前記板状転写ヘッドが後方へ引かれることで、前記塗膜が前記被転写体に転写されるように構成されている。【０００８】
Ａ２観点に係る塗膜転写具は、Ａ１観点に係る塗膜転写具であって、前記収納具は、塗膜転写時に前記被転写体に接する位置に設けられている凸部を有する。
Ａ３観点に係る塗膜転写具は、Ａ２観点に係る塗膜転写具であって、前記凸部が、回転ローラである。【０００９】
Ａ４観点に係る塗膜転写具は、Ａ１又はＡ２観点に係る塗膜転写具であって、前記内部転写具は、前記搬送ローラを回転可能に支持する、弾性変形可能な支持体をさらに有する。
Ａ５観点に係る塗膜転写具は、Ａ４観点に係る塗膜転写具であって、前記支持体は、塗膜転写時に変形させられて、前記搬送ローラを前記被転写体に対して押圧する押圧力を生じるように弾性変形する。【００１０】
Ａ６観点に係る塗膜転写具は、Ａ１からＡ５観点のいずれかに係る塗膜転写具であって、前記搬送ローラは、前記基材テープの幅よりも広い幅を有し、塗膜転写時に前記被転写体と接し、これにより、塗膜転写時に前記被転写体から回転力を受け取り、前記基材テープに巻き取り方向の送り力を与える。【００１１】
Ａ７観点に係る塗膜転写具は、Ａ１からＡ６観点のいずれかに係る塗膜転写具であって、前記内部転写具及び前記収納具の一方が突起部を有し、他方が前記突起部を回転可能に受け取る受け取り部を有する。【００１２】
Ｂ１観点に係る塗膜転写具は、少なくとも、基材テープに塗膜を設けた転写テープを繰り出す繰り出し部、前記繰り出し部から繰り出された転写テープを被転写体に押圧して塗膜を被転写体に転写する板状転写ヘッド、転写後の基材テープを巻き取る巻き取り部、塗膜転写時に被転写体と接して回転することにより転写テープ巻き取り部の方向に送り力を与える搬送ローラを備えた内部転写具と前記内部転写具を収納する収納具からなる塗膜転写具である。前記塗膜転写具は、収納具が被転写体に接する位置に凸部を備えている。前記塗膜転写具は、前記板状転写ヘッドの前方方向へ塗膜転写具を押し出して塗膜を被転写体に転写する塗膜転写具である。前記搬送ローラの幅の長さは、転写テープ幅より広く、搬送ローラは弾性変形可能な支持体によって回転可能に支持されている。さらに、前記塗膜転写具は、押し出して塗膜を転写するのみならず、収納具内の内部転写具を被転写体に対して上下を反転して収納することにより、前記板状転写ヘッドに対して手前方向へ塗膜転写具を引くことでも塗膜を被転写体に転写することができる塗膜転写具である。【００１３】
Ｂ２観点に係る塗膜転写具は、前記凸部が、回転ローラであるＢ１観点に記載の塗膜転写具である。
Ｂ３観点に係る塗膜転写具は、前記内部転写具を被転写体に対して上下反転して収納具に収納する方法として、内部転写具に設けられた突起部と収納具に設けられた係合部が回転可能に連結されたことを特徴とするＢ１観点又はＢ２観点に記載の塗膜転写具である。
【発明の効果】
【００１４】
本発明により、一台で押し転写及び引き転写のどちらにも対応可能な塗膜転写具を提供することができる。
【図面の簡単な説明】
【００１５】
【図１】本発明の第一実施形態の内部転写具のカバーを外した側面図。
【図２】内部転写具を様々な方向から見た図。
【図３】本発明の第一実施形態に使用される収納具を様々な方向から見た図。
【図４】図３で指示された各箇所における収納具の断面図。
【図５】塗膜転写具の各断面図。
【図６】収納具に組み合わされた内部転写具を背面側から見た回転図。
【図７】押し転写時および引き転写時の内部転写具の配置図。
【図８】本発明の第二実施形態の収納具を示す図。
【符号の説明】
【００１６】
Ａ１          内部転写具の中心軸（基準軸）
Ｎ            内部転写具
Ｓ            収納具
Ｓ１          収納具本体
Ｓ２          補助部
Ｔ１          転写テープ
Ｔ２          基材テープ
１            繰出しコア
２            板状転写ヘッド
２ａ          支持体
２ｂ          軸受け部
３            巻取りコア
４            Ｏリング
５            搬送ローラ
６            内部転写具ケース
６ａ          内部転写具ケースの先端部
６ｂ          内部転写具ケースの半円弧形状の突起部
６ｃ          内部転写具ケースの突起状のリブ
７            内部転写具カバー
７ａ          内部転写具カバーの先端部
７ｂ          内部転写具カバーの半円弧形状の突起部
７ｃ          内部転写具カバーの突起状のリブ
６７ａ        内部転写具ケースとカバーの結合による円盤形状部（直径Ｌ）
６７ｂ        内部転写具ケースとカバーの結合による円柱形状部（直径ｍ）
８            収納具ケース
８ａ          収納具ケース側面の空間
８ｂ          収納具ケースのリブ止め
８ｃ          収納具ケースの転写ヘッド側の先端部
８ｄ          収納具ケースの凸部
８ｅ          収納具ケースの半円弧形状の部材
９            収納具カバー
９ａ          収納具カバー側面の空間
９ｂ          収納具カバーのリブ止め
９ｃ          収納具カバーの転写ヘッド側の先端部
９ｄ          収納具カバーの凸部
９ｅ          収納具カバーの半円弧形状の部材
８９ｅ        収納具ケースと収納具カバーの結合による円柱形孔（直径ｎ）
８９ｆ        収納具の先端部
１０          回転ローラ
【発明を実施するための形態】
【００１７】
本発明の第一実施形態の塗膜転写具は、内部転写具Ｎおよびこれを収納する収納具Ｓからなる。図１は、後述する内部転写具カバー７を外した状態の内部転写具Ｎの側面図である。内部転写具Ｎは、基材テープＴ２に塗膜を塗布した転写テープＴ１を巻き回した繰出しコア１、塗膜を被転写体に転写する板状転写ヘッド２、転写後の基材テープＴ２を巻き取る巻取りコア３、繰出しコア１の回転を巻取りコア３に伝えるＯリング４、転写テープＴ１に巻き取り方向の送り力を与える搬送ローラ５、および、内部転写具カセットを形成する内部転写具ケース６および内部転写具カバー７（図示せず）から構成される。繰出しコア１、巻取りコア３及びＯリング４は、内部転写具カセット内に収容されている。板状転写ヘッド２には、弾性変形可能な支持体２ａが形成されている。支持体２ａには、搬送ローラ５の軸を受け取り、これを支持する軸受け部２ｂが設けられている。なお、繰出しコア１の回転を巻取りコア３に伝えるための方法としては、本実施形態ではＯリング４が使用されているが、ギヤ等による伝達も可能であり、特に制限はない。
【００１８】
搬送ローラ５は、図１の状態において、基材テープＴ２の搬送方向に沿って板状転写ヘッド２よりも下流側であって、巻取りコア３よりも上流側に配置され、転写後の基材テープＴ２を被転写体に押圧する。搬送ローラ５は、成型用樹脂や金属等からなる軸と、弾性材料でできた外周部とからなる。搬送ローラ５の外周部は、被転写体との摩擦力を得るため、摩擦力の高い弾性材料で形成される。弾性材料としては、ポリウレタンエラストマー、オレフィン系エラストマー、スチレン系エラストマー、ポリアミドエラストマー、ナイロン１２系エラストマー、ポリエステルエラストマー等のエラストマーや、アクリルゴム、ＮＢＲ、イソプレンゴム、ＳＢＲ、ブタジエンゴム、シリコーンゴム、ブチルゴム等の各種ゴム材料が挙げられる。
【００１９】
搬送ローラ５の幅は、基材テープＴ２の幅より広い。そのため、塗膜転写時に搬送ローラ５と被転写体とが接触し、これらの間に摩擦力が発生することにより、この摩擦力で搬送ローラ５の回転力が発生する。そして、この搬送ローラ５の回転力が基材テープＴ２の送り力となって、基材テープＴ２を円滑に巻き取ることができる。すなわち、この板状転写ヘッド２と別に設けられた搬送ローラ５の効果により、板状転写ヘッド２を使用しても、塗膜転写の際に強い押圧力をかけることなく、円滑な転写操作を行うことが可能となる。特に、転写テープＴ１の終期の走行においては、基材テープＴ２の巻き取り力が低下するが、搬送ローラ５はこの低下を補う働きをする。すなわち、転写テープＴ１の終期の走行においても、搬送ローラ５が巻き取り方向へ送り力を与えるため、円滑な転写操作を行うことが可能となる。また、搬送ローラ５の幅を基材テープＴ２の幅より広くすることで、塗膜転写具の直進性を高めることができ、塗膜転写具の蛇行を防止できる。
【００２０】
また、搬送ローラ５の幅は、収納具Ｓの幅及び内部転写具カセットの幅の広い方よりも狭いことが好ましく、数値で表すと、基材テープＴ２の幅よりも２〜１０ｍｍ広いものとすることが好ましい。なぜならば、搬送ローラ５の幅から基材テープＴ２の幅を引いた長さが２ｍｍ未満だと、塗膜転写時に搬送ローラ５と被転写体との間の摩擦力が得られにくくなり、基材テープＴ２の巻き取り不良の恐れが出てくる。また、一般的には、搬送ローラ５の幅が１０ｍｍを超えると、搬送ローラ５が、収納具Ｓの幅及び内部転写具カセットの幅の広い方からはみ出すようになり、搬送ローラ５の破損の恐れが出てくるからである。
【００２１】
搬送ローラ５は弾性変形可能な支持体２ａによって、回転可能に支持される。図１では、支持体２ａを樹脂成型で図１の形状にすることで、弾性変形可能としている。なお、ここでいう「弾性変形可能」とは、外力が与えられていない状態では図１の形状であるが、塗膜転写時に搬送ローラ５に被転写体側から内部転写具カセットのより内部へ向かう方向に外力が加えられたときに、搬送ローラ５が内部転写具カセットのより内部へ移動するように変形し、塗膜転写後に当該外力が取り除かれると図１の形状に戻る性質をいう。支持体２ａを弾性変形可能にする方法は特に限定されず、例えば、他の形状の樹脂成型であってもよいし、コイルスプリング等の押しばねを利用してもよい。支持体２ａは、この弾性変形可能な性質により、転写テープＴ１を転写する際に搬送ローラ５を被転写体に押さえつける働きをする。よって、本実施形態の塗膜転写具を使用する場合は、少なくとも転写ヘッド２と搬送ローラ５を被転写体に押し当てて、塗膜転写具を転写ヘッド２の前方方向へ押し出して使用することができる。
【００２２】
図２は、図１の内部転写具Ｎにカバー７を取り付けた図であり、（Ａ）カバー７側から見た内部転写具Ｎの側面図、（Ｂ）転写テープＴ１側から見た内部転写具Ｎの上面図、（Ｃ）被転写体側から見た内部転写具Ｎの底面図、（Ｄ）転写ヘッド２側から見たケース６およびカバー７の先端部６ａ、７ａの斜視図、（Ｅ）転写ヘッド２側と反対側から見た内部転写具Ｎの背面図を示したものである。
【００２３】
板状転写ヘッド２側の内部転写具ケース６の先端部６ａおよび内部転写具カバー７の先端部７ａの外周は、それぞれ半円弧形状となるように設けられており、一方が他方に嵌め込まれる態様で先端部６ａ、７ａが結合されることにより円盤形状の部材６７ａ（直径Ｌ）を形成する。板状転写ヘッド２側と反対側になる背面部には、内部転写具ケース６および内部転写具カバー７のそれぞれに外側に向かって延びる半円弧形状の突起部６ｂ、７ｂが設けられており、一方が他方に嵌め込まれる態様で突起部６ｂ、７ｂが結合されることにより円柱形状の突起部６７ｂ（直径ｍ）を形成する。更に、内部転写具ケース６および内部転写具カバー７の外面には、それぞれ上面側及び底面側に外側に向かって延びる突起状のリブ６ｃ、７ｃが設けられている。
【００２４】
内部転写具カセットの外形は、内部転写具Ｎの中心軸Ａ１に対して概ね回転対称（２回対称）な外形を有している。なお、内部転写具Ｎの中心軸Ａ１とは、円盤形状の部材６７ａの中心と突起部６７ｂの中心とを通る直線であり、以下、基準軸Ａ１という。
【００２５】
図３は、本発明の第一実施形態に使用される収納具Ｓを示しており、（Ａ）カバー９側から見た収納具Ｓの側面図、（Ｂ）収納具Ｓの上面図、（Ｃ）収納具Ｓの底面図、（Ｄ）転写ヘッド２側から見た収納具ケース８およびカバー９の先端部８ｃ、９ｃ、（Ｅ）転写ヘッド２側と反対側から見た収納具Ｓの背面図を示したものである。
【００２６】
収納具Ｓは、収納具ケース８と収納具カバー９で構成される。また、収納具ケース８と収納具カバー９とが結合された状態で、収納具Ｓは、雫形に閉ループを形成する収納具本体Ｓ１と、概ね三角柱状の外形を有する補助部Ｓ２とを有する。収納具ケース８および収納具カバー９の側面にはそれぞれ内部転写具Ｎの輪郭に概ね沿った空間８ａ、９ａが形成されており、言い換えると、収納具本体Ｓ１は、内側に空間８ａ、９ａを規定している。内部転写具Ｎの輪郭に概ね沿った空間８ａ、９ａは、両空間８ａ、９ａを合わせると、基準軸Ａ１に対して概ね回転対称（２回対称）な形を有している。なお、収納具Ｓについて基準軸Ａ１を参照して説明する場合には、収納具Ｓが内部転写具Ｎを収納した状態が基準とされるものとする。又、収納具ケース８と収納具カバー９において、空間８ａ、９ａの外周を規定する位置にはそれぞれリブ止め８ｂ、９ｂが設けられている。又、収納具ケース８および収納具カバー９の転写ヘッド２側の先端部８ｃ、９ｃには、内部転写具Ｎの板状転写ヘッド２を被転写体側に突出配置させる為の、空間８ａ、９ａにつながる孔が設けられている。
【００２７】
補助部Ｓ２は、収納具本体Ｓ１に隣接して結合されている。また、収納具本体Ｓ１は、基準軸Ａ１に対して概ね回転対称（２回対称）な外形を有している。従って、収納具Ｓは、全体として基準軸Ａ１に対して非回転対称な外形を有している。更に、収納具ケース８および収納具カバー９において補助部Ｓ２を形成する部位には、被転写体と接する位置にそれぞれ凸部８ｄ、９ｄが形成されている。
【００２８】
図４は、図３で指示された各箇所における収納具Ｓの断面図であり、内部転写具Ｎの背面側となる断面Ｂ−Ｂから見た収納具ケース８および収納具カバー９には、それぞれ空間８ａ、８ｂの内側へと延びる半円弧形状の部材８ｅ、９ｅが設けられており、部材８ｅ、９ｅの一方が他方に嵌め込まれる態様で結合されることにより円柱形の孔８９ｅ（直径ｎ）を形成する。又、断面Ｃ−Ｃから見て、収納具ケース８および収納具カバー９の転写ヘッド２側の先端部は、それぞれホッチキス針の形状（１本の線が同じ方向に２度９０°に曲げられたような形状）であり、一方が他方に嵌め込まれるようにして両者が組み合わさることにより、正方形状の先端部８９ｆ（開口の一辺寸法Ｗ）を形成する。
【００２９】
図５は、内部転写具Ｎを収納具Ｓに収納した塗膜転写具の各断面図である。（各断面図は図３で指示された断面位置である。）内部転写具Ｎと収納具Ｓとが結合した状態では、内部転写具Ｎの、板状転写ヘッド２側に形成された円盤形状の部材６７ａが、収納具Ｓの正方形状の先端部８９ｆ（一辺寸法Ｗ）内に挿入され、内部転写具Ｎの、板状転写ヘッド２と反対側となる背面部に形成された円柱形状の突起部６７ｂが、円柱形の孔８９ｅに挿入される。内部転写具Ｎは、収納具Ｓに対しこの状態で回転可能に保持される。尚、部材６７ａの直径Ｌ＜先端部８９ｆにより規定される開口の一辺寸法Ｗ、かつ、突起部６７ｂの直径ｍ＜円柱形の孔８９ｅの直径ｎとすることで、収納具Ｓが内部転写具Ｎを回転可能に保持することが可能となる。又、収納具Ｓの先端部８９ｆは一辺寸法Ｗの正方形状の開口を有するものとしたが、直径寸法Ｗの円形状や多角形状の開口を有するものでも構わない。又、内部転写具Ｎ側に円柱形の孔が形成されるとともに、収納具Ｓ側に円柱形状の突起部が形成されており、前者に後者が挿入されることで、内部転写具Ｎが収納具Ｓに対し回転可能に保持されるように構成してもよい。
【００３０】
図６は、収納具Ｓと組み合わされた内部転写具Ｎを背面側から見た回転図を示したものである。内部転写具ケース６および内部転写具カバー７の外面に形成した突起状のリブ６ｃ、７ｃは、収納具Ｓに形成したリブ止め８ｂ、９ｂの内側に位置し、内部転写具Ｎを回転させた際にリブ止め８ｂ、９ｂと接触する寸法まで突出させている。これにより、内部転写具Ｎを収納具Ｓ内で意図せず自在に回転できないように固定できる。又、意図して内部転写具Ｎを回転させる際には、一定以上の回転力を内部転写具Ｎに加えることで、リブ止め８ｂ、９ｂ及びリブ６ｃ、７ｃの少なくとも一方の弾性変形によりリブ６ｃ、７ｃがリブ止め８ｂ、９ｂからはずれて回転可能となる。この構造により、収納具Ｓに収納された内部転写具Ｎを基準軸Ａ１に対して１８０°回転させて、上下反転させることが可能となる。その結果、塗膜転写具が、押し転写、引き転写のどちらにも対応可能な塗膜転写具となるものである。
【００３１】
図７は、押し転写時の内部転写具Ｎの配置図および内部転写具Ｎの上下を反転した引き転写時の内部転写具の配置図であり、矢印方向が転写操作の方向を示している。このように、収納具Ｓの凸部８ｄ、９ｄと搬送ローラ５とは、押し転写を行うようにセットされた状態（第１状態）では、基準軸Ａ１を通り、図７の紙面に垂直な面（以下、基準面という）に対して同じ側に配置され、引き転写を行うようにセットされた状態（第１状態）では、基準面に対して反対側に配置される。また、押し転写を行うようにセットされた状態では、凸部８ｄ、９ｄと、搬送ローラ５と、転写を行う板状転写ヘッド２の先端部とは、概ね一直線状に配置されるように構成されている。従って、押し転写時には、これらの３つの要素が被転写体に同時に接した状態で転写操作が行うことが可能となり、塗膜転写具の蛇行が防止される。一方、引き転写時には、凸部８ｄ、９ｄと、転写を行う板状転写ヘッド２の先端部とが被転写体に同時に接した状態で転写操作が行うことが可能となり、塗膜転写具の蛇行が防止される。
【００３２】
図８は、本発明の第二実施形態の塗膜転写具の側面図と背面図および被転写体側から見た底面図の一部である。ここでは、収納具Ｓの被転写体側に設けた凸部８ｄ、９ｄに代えて、凸部８ｄ、９ｄと同様の役割を果たす筒状の回転ローラ１０が設けられている。また、ここでは、収納具ケース８に軸を設け、収納具カバー９に軸受けの凹部を設けており、ケース８の軸に筒状の回転ローラ１０が挿入されている。回転ローラ１０の材質は、ＡＢＳ、ＰＯＭ、ＰＥ、ＰＳ、ＰＰ等での形成が好ましく、回転摺動性の良いＰＯＭ（ポリアセタール）が最も好ましい。なお、凸部を回転ローラ１０とすることで、塗膜転写具を転写ヘッドの前方方向へ押し出す際の力が軽くなると共に、塗膜転写具の直進性が増して蛇行を防止する効果が生じる。又、回転ローラ１０表面に搬送ローラ５の弾性材料に使用されるエラストマーや各種ゴム材料の皮膜を設けることで、被転写体との摩擦係数が高くなり、より一層塗膜転写具の直進性が増して蛇行を防止する効果が生じる。
【００３３】
上記実施形態の塗膜転写具では、転写ヘッドに被転写体から鋭く立ち上がる板状の部材が用いられているため、これにローラを用いて押し転写を行う特許文献１に記載の塗膜転写具と異なり、塗膜転写の開始位置および終点位置を容易に確認することができる。さらに、押し転写を行う特許文献１では、塗膜転写具を走行させた際に転写ローラの押圧力が軽いため、被転写体に対して転写ヘッドの接触が不安定となり、塗膜転写具が蛇行するといった不具合を生じる場合がある。しかしながら、上記実施形態の塗膜転写具では、転写ヘッドに板状の部材が用いられているため、転写ヘッドの押圧力が軽くなりすぎるという問題は生じない。一方で、この板状の転写ヘッドと別に設けられた搬送ローラ５の効果により、板状転写ヘッド２を使用しても、塗膜転写の際に強い押圧力をかけることなく、円滑な転写操作を行うことが可能となる。よって、上記実施形態の塗膜転写具を用いた押し転写は、特許文献１の塗膜転写具を用いた押し転写よりも操作性が高い。
【００３４】
さらに、上記実施形態の塗膜転写具では、内部転写具Ｎを収納具Ｓ内で反転させることが可能に構成されており、この反転により、以上のような押し転写に加え、必要に応じて後方に引いて塗膜を転写することも可能になる。
【００３５】
なお、上記実施形態では、搬送ローラ５を支持する支持体２ａが弾性変形可能であり、塗膜転写時にこの支持体２ａが弾性変形することにより、搬送ローラ５と板状転写ヘッド２との間に段差がなくなり、被転写体に対し面が揃うように構成されていた。しかしながら、支持体２ａが弾性変形可能でなくてもよい。この場合には、塗膜転写時に搬送ローラ５自身が被転写体に押されて弾性変形することで、上記段差がなくなり、被転写体に対し搬送ローラ５と板状転写ヘッド２の面が揃うように構成することが好ましい。あるいは、搬送ローラ５を被転写体側に押し付ける前から、搬送ローラ５と板状転写ヘッド２との間に段差がなく、被転写体に対し面が揃うように構成されていてもよい。
【００３６】
上記実施形態では、搬送ローラ５の幅が基材テープＴ２の幅より広いものとしたが、両者の幅を同じとしても、搬送ローラ５の幅が基材テープＴ２の幅より狭いものとしてもよい。この場合、搬送ローラ５は、塗膜転写時に被転写体と直接接触せず、離型処理の施されている基材テープＴ２にのみ直接接触することになり得るため、搬送ローラ５を回転させるような上述の摩擦力は必ずしも発生しない。しかしながら、搬送ローラ５が存在することで、板状転写ヘッド２の部分に加え、搬送ローラ５の部分でも、基材テープＴ２と被転写体とが接触することになり、基材テープＴ２と被転写体との接触面積が増加する。したがって、同じ押圧力でも、基材テープＴ２が引き出され易くなり、ひいては、基材テープＴ２を円滑に巻き取ることができるようになる。すなわち、板状転写ヘッド２と別に設けられた搬送ローラ５の効果により、塗膜転写の際に強い押圧力をかけることなく、円滑な転写操作を行うことが可能となる。
【図１】
2014050217.tif 000003
【図２】
2014050217.tif 000004
【図３】
2014050217.tif 000005
【図４】
2014050217.tif 000006
【図５】
2014050217.tif 000007
【図６】
2014050217.tif 000008
【図７】
2014050217.tif 000009
【図８】
2014050217.tif 000010
【国際調査報告】
2014050217.tif 000011
2014050217.tif 000012
2014050217.tif 000013
2014050217.tif 000014